(57)【要約】【課題】  サムネイル画像が設定されている放送番組等の選択をより容易且つ迅速に実行することが可能な情報再生装置等を提供する。【解決手段】  再生されるべきタイトルの内容を代表するものとして各タイトル毎に予め設定されているサムネイル画像ＳＮ１乃至ＳＮ６を表示するサムネイル画面Ｇと、表示されているサムネイル画像ＳＮ１乃至ＳＮ６を用いて再生すべきタイトルを選択するために用いられる操作部と、一のタイトルが選択されたとき、そのタイトルに対応するサムネイル画像ＳＮに代えて、選択されたタイトルに対応する動画像ＳＮ１Ｍを再生して表示させるシステム制御部１６６を備え、動画像ＳＮ１Ｍの再生・表示中において、他のタイトルに対応するサムネイルＳＮが選択されたとき、或いはタイトルを選択する階層をはずれたとき、表示されている動画像ＳＮ１Ｍに代えて元のサムネイル画像ＳＮ１を再び表示する。【選択図】  図１
2005184071.tif 000002
【特許請求の範囲】
【請求項１】
再生されるべき再生情報の内容を代表するものとして各再生情報毎に予め設定されている代表画像を表示させる第１表示制御手段と、
前記表示されている代表画像を用いて再生すべき前記再生情報を選択するために用いられる選択手段と、
前記選択手段を用いて一の前記再生情報が選択されたとき、当該選択された一の再生情報に対応する前記代表画像に代えて、当該選択された一の再生情報を再生して表示させる表示制御手段と、
前記一の再生情報の再生・表示中において、前記選択手段を用いて前記一の再生情報の選択を解除するとき、前記表示されている一の再生情報に代えて当該一の再生情報に対応する前記代表画像を再び表示させる代表画像表示制御手段と、
を備えることを特徴とする情報再生装置。
【請求項２】
請求項１に記載の情報再生装置において、
前記表示制御手段は、複数の前記再生情報に夫々対応する前記代表画像を一覧表示させると共に、
当該表示制御手段は、前記一の再生情報を再生して表示させるとき、当該一の再生情報に対応する前記代表画像が表示されていた領域を用いて当該一の再生情報を表示させることを特徴とする情報再生装置。
【請求項３】
請求項１又は２に記載の情報再生装置において、
前記再生画像は動画像であると共に、
前記代表画像は、当該各動画像の内容を代表するものとして予め設定されている代表静止画像であることを特徴とする情報再生装置。
【請求項４】
請求項３に記載の情報再生装置において、
前記代表静止画像は、対応する各動画像の一部を構成する静止画像であることを特徴とする情報再生装置。
【請求項５】
再生されるべき再生情報の内容を代表するものとして各再生情報毎に予め設定されている代表画像を表示する第１表示工程と、
前記表示されている代表画像を用いて再生すべき前記再生情報を選択する選択工程と、
前記選択工程において一の前記再生情報が選択されたとき、当該選択された一の再生情報に対応する前記代表画像に代えて、当該選択された一の再生情報を再生して表示する第２表示工程と、
前記一の再生情報の再生・表示中において、前記選択工程において前記一の再生情報の選択を解除するとき、前記表示されている一の再生情報に代えて当該一の再生情報に対応する前記代表画像を再び表示する代表画像表示制御工程と、
を備えることを特徴とする情報再生方法。
【請求項６】
再生情報を再生する情報再生装置に含まれるコンピュータを、
再生されるべき前記再生情報の内容を代表するものとして各再生情報毎に予め設定されている代表画像を表示させる第１表示制御手段、
前記表示されている代表画像を用いて再生すべき前記再生情報を選択するために用いられる選択手段、
前記選択手段を用いて一の前記再生情報が選択されたとき、当該選択された一の再生情報に対応する前記代表画像に代えて、当該選択された一の再生情報を再生して表示させる第２表示制御手段、及び、
前記一の再生情報の再生・表示中において、前記選択手段を用いて前記一の再生情報の選択を解除するとき、前記表示されている一の再生情報に代えて当該一の再生情報に対応する前記代表画像を再び表示させる代表画像表示制御手段、
として機能させることを特徴とする情報再生用プログラム。
【請求項７】
請求項６に記載の情報再生用プログラムが、前記コンピュータで読取可能に記録されていることを特徴とする情報記録媒体。
【発明の詳細な説明】
【技術分野】
【０００１】
本願は、情報再生装置、情報再生方法及び情報再生用プログラム並びに情報記録媒体の技術分野に属し、より詳細には、予めその内容を代表する代表画像（以下、適宜サムネイル画像とも称する）を表示し、その表示されている代表画像を用いて再生すべき再生情報を選択して再生する情報再生装置及び情報再生方法、並びに当該情報再生に用いられる情報再生用プログラム並びに当該情報再生用プログラムが記録された情報記録媒体の技術分野に属する。
【背景技術】
【０００２】
近年、磁気ディスクとしての大容量のハードディスクと、光ディスクとしてのＤＶＤ（Digital Versatile Disc）と、を共に備え、放送電波を介して受信された放送番組を録画することが可能なレコーダが一般化しつつある。
【０００３】
このとき、当該レコーダにおいては、受信した放送番組を一時的に記録しておくハードディスクが大容量であるので、複数の放送番組を蓄積・記録しておくことが可能とされている（以下、蓄積・記録された放送番組を適宜タイトルとも称する）。
【０００４】
一方、複数の放送番組がハードディスクに記録されている場合においてこれを再生するとき、その再生すべき放送番組を効率的に選択するための一方法として、各放送番組毎に予め設定されているサムネイル画像（以下適宜本来のサムネイル画像とも称する）を一覧表示し、その一覧表示されているサムネイル画像の中から再生すべき放送番組に対応するサムネイル画像を選択することで、その選択されたサムネイル画像に対応する放送番組をハードディスクから再生する方法がある（下記特許文献１又は２参照）。
【特許文献１】特開平１１−２１５４７２号公報（第５図）
【特許文献２】特開２０００−３５３３７５公報（第６図、第９図又は第１２図）
【０００５】
そして、このサムネイル画像の一覧表示を用いた放送番組の選択方法において、従来、サムネイル画像が一覧表示されている場合において一のサムネイル画像が選択されたとき、その選択されたサムネイル画像に対応する放送番組を、その選択されたサムネイル画像が表示されていた領域を用いて、他のサムネイル画像を表示しつつ再生表示することが行われていた。この構成によると、他のサムネイル画像に代表される他の放送番組の内容を連想しつつそのときに選択された放送番組の内容を実際に確認することができ、放送番組の選択上、使用者にとって有利なものとなる。
【０００６】
ここで、上記した従来の放送番組の選択方法においては、サムネイル画像が表示されていた領域を用いて一の放送番組が実際に再生表示されている場合に他のサムネイル画像が選択されたときには、当該他のサムネイル画像が選択されたタイミングで表示されていた画像のまま当該一の放送番組の再生表示が中断され、その画像が表示されたまま当該他のサムネイル画像に対応する他の放送番組をその他のサムネイル画像が表示されていた領域を用いて再生表示することとされていた。
【発明の開示】
【発明が解決しようとする課題】
【０００７】
しかしながら、上述した従来のサムネイル画像を用いた放送番組の選択方法によると、他のサムネイル画像が選択されたタイミング、若しくはサムネイル画像選択の階層より別の選択階層に遷移したタイミングで再生表示されていた画像のまま、上記一の放送番組の再生表示が中断されていたため、当該他のサムネイル画像の選択後にまた元の一の放送番組を選択しようとしたとき、その一の放送番組の内容を直感的に把握して選択することができない場合があると言う問題点があった。
【０００８】
これは、上述したように他のサムネイル画像の選択が行われたときに再生表示されていた一の放送番組のその再生表示が、その選択が行われたタイミングで表示されていた画像のまま停止してしまうため、結果としてその一のタイトルで本来のサムネイル画像ではなくそのタイミングで表示されていた画像がサムネイル画像として表示されたままとなり、その一の放送番組の内容を直感的に把握できなくなることが原因である。
【０００９】
そして、この問題点は、複数のサムネイル画像が次々と選択されていく度に各放送番組に対応して表示されている画像（タイトルの本来のサムネイル画像とは異なる画像）が変化していくことともなり、その放送番組の内容の直感的な把握がより困難になるという問題点に繋がるものである。
【００１０】
そこで、本願は上記の各問題点に鑑みて為されたもので、その課題の一例は、サムネイル画像が設定されている放送番組等の選択をより容易且つ迅速に実行することが可能な情報再生装置及び情報再生方法、並びに当該選択による情報再生に用いられる情報再生用プログラム並びに当該情報再生用プログラムが記録された情報記録媒体を提供することにある。
【課題を解決するための手段】
【００１１】
上記の課題を解決するために、請求項１に記載の発明は、再生されるべき再生情報の内容を代表するものとして各再生情報毎に予め設定されている代表画像を表示させるシステム制御部等の第１表示制御手段と、前記表示されている代表画像を用いて再生すべき前記再生情報を選択するために用いられる操作部等の選択手段と、前記選択手段を用いて一の前記再生情報が選択されたとき、当該選択された一の再生情報に対応する前記代表画像に代えて、当該選択された一の再生情報を再生して表示させるシステム制御部等の表示制御手段と、前記一の再生情報の再生・表示中において、前記選択手段を用いて前記一の再生情報の選択を解除するとき、前記表示されている一の再生情報に代えて当該一の再生情報に対応する前記代表画像を再び表示させるシステム制御部等の代表画像表示制御手段と、を備える。
【００１２】
上記の課題を解決するために、請求項５に記載の発明は、再生されるべき再生情報の内容を代表するものとして各再生情報毎に予め設定されている代表画像を表示する第１表示工程と、前記表示されている代表画像を用いて再生すべき前記再生情報を選択する選択工程と、前記選択工程において一の前記再生情報が選択されたとき、当該選択された一の再生情報に対応する前記代表画像に代えて、当該選択された一の再生情報を再生して表示する第２表示工程と、前記一の再生情報の再生・表示中において、前記選択工程において前記一の再生情報の選択を解除するとき、前記表示されている一の再生情報に代えて当該一の再生情報に対応する前記代表画像を再び表示する代表画像表示制御工程と、を備える。
【００１３】
上記の課題を解決するために、請求項６に記載の発明は、再生情報を再生する情報再生装置に含まれるコンピュータを、再生されるべき前記再生情報の内容を代表するものとして各再生情報毎に予め設定されている代表画像を表示させる第１表示制御手段、前記表示されている代表画像を用いて再生すべき前記再生情報を選択するために用いられる選択手段、前記選択手段を用いて一の前記再生情報が選択されたとき、当該選択された一の再生情報に対応する前記代表画像に代えて、当該選択された一の再生情報を再生して表示させる第２表示制御手段、及び、前記一の再生情報の再生・表示中において、前記選択手段を用いて前記一の再生情報の選択を解除するとき、前記表示されている一の再生情報に代えて当該一の再生情報に対応する前記代表画像を再び表示させる代表画像表示制御手段、として機能させる。
【００１４】
上記の課題を解決するために、請求項７に記載の発明は、請求項６に記載の情報再生用プログラムが、前記コンピュータで読取可能に記録されている。
【発明を実施するための最良の形態】
【００１５】
次に、本願に好適な実施の形態について、図面に基づいて説明する。なお、以下に説明する実施の形態は、ハードディスク（以下、「ＨＤ」と称する）又はＤＶＤの少なくともいずれか一方に放送番組を記録すると共にこれを再生する情報再生装置としてのレコーダに対して、本願を適用した場合の実施の形態である。なお、以下に説明する実施形態においては、一の上記放送番組をタイトルと称することとする。すなわち、以下の実施形態においてタイトルとは、連続して受信されて記録されている一纏まりの放送番組を言う。
【００１６】
（Ｉ）全体構成及び動作の実施形態
まず、図１を用いてレコーダの全体構成及び概要動作について説明する。なお、図１は本願に係るレコーダの概要構成を示すブロック図である。
【００１７】
実施形態のレコーダ１００は、図１に示すように、各コンテンツが記録される記録媒体としてのＨＤ２００に対して、そのコンテンツに対応するデータの書込み又は読出しを行うＨＤドライブ２０１と、コンテンツが記録されるＤＶＤ２０２に対して、そのコンテンツに対応するデータの書込み又は読出しを行うＤＶＤドライブ２０３と、コンテンツに対応する映像データ及び音声データが入力され、ＨＤ２００又はＤＶＤ２０２に当該映像データ及び音声データを記録するデータ記録系１２０と、ＨＤ２００又はＤＶＤ２０２から既に記録されているタイトルを読み出し各データの再生を行うデータ再生系１４０と、データ記録系１２０及びデータ再生系１４０を制御するシステム制御系１６０と、から構成される。
【００１８】
このとき、ＨＤドライブ２０１には、ＤＶＤドライブ２０３からの出力又はデータ記録系１２０からの出力を切り替える第１ドライブ切替部２０４と、ＡＴＡＰＩ（AT Attachment Packet Interface）などの規格に準拠したＨＤ用ドライブインターフェース２０５と、が接続されており、この第１ドライブ切替部２０４は、後述するシステム制御部１６６の制御により、入力及び出力の切り替えを行う。
【００１９】
また、このＨＤドライブ２０１は、予めＨＤ２００に記録され、各タイトルを構成する映像データ及び音声データを有するプログラムストリームを当該ＨＤ２００から読み出してＨＤ用ドライブインターフェース２０５を介してデータ再生系１４０に出力すると共に、データ記録系１２０によって生成され、当該ＨＤ用ドライブインターフェース２０５を介して入力されたプログラムストリームをＨＤ２００に記録する。
【００２０】
一方、ＤＶＤドライブ２０３には、ＨＤドライブ２０１からの出力又はデータ記録系１２０からの出力を切り替える第２ドライブ切替部２０６と、ＡＴＡＰＩなどの規格に準拠したＤＶＤ用ドライブインターフェース２０７と、が接続されており、この第２ドライブ切替部２０６は、第１ドライブ切替部２０４と同様に、後述するシステム制御部１６６の制御により、入力及び出力の切り替えを行う。
【００２１】
また、このＤＶＤドライブ２０３は、ＨＤドライブ２０１と同様に、予めに記録され、各タイトルを構成する映像データ及び音声データを有するプログラムストリームを当該ＤＶＤ２０２から読み出してＤＶＤ用ドライブインターフェース２０７を介してデータ再生系１４０に出力すると共に、データ記録系１２０によって生成され、当該ＤＶＤ用ドライブインターフェース２０７を介して入力されたプログラムストリームをＤＶＤ２０２に記録する。
【００２２】
次に、実施形態のレコーダ１００におけるデータ記録系１２０の具体的構成及び動作について説明する。
【００２３】
実施形態のレコーダ１００におけるデータ記録系１２０は、アンテナＡＴを介して各放送局から送信された放送波を受信するＴＶ受信部１２１と、映像入力端子及び音声入力端子を介して外部から入力されたアナログの映像信号及び音声信号とＴＶ受信部１２１からの出力を切り替える第１入力切替部１２２及び第２入力切替部１２３と、受信又は入力されたタイトルに対応するＴＶ用映像信号をデジタル信号に変換する第１アナログ／デジタル（以下「Ａ／Ｄ」と称する）コンバータ１２４と、受信又は入力されたタイトルに対応する音声信号をデジタル信号に変換する第２Ａ／Ｄコンバータ１２５と、デジタル信号に変換されたＴＶ用映像信号を映像信号にデコードする映像信号デコーダ１２６と、エンコードする映像信号及び音声信号を選択する選択部１２７と、選択部１２７によって選択された映像信号をＭＰＥＧ（Motion Picture Expert Group）フォーマットに変換する映像エンコーダ１２８と、選択部１２７によって選択された音声信号をＡＣ（Audio Coding）−３フォーマットに変換する音声エンコーダ１２９と、ＭＰＥＧフォーマットの映像データとＡＣ−３フォーマットの音声データとからプログラムストリームを生成するマルチプレクサ１３０と、から構成される。
【００２４】
このとき、ＴＶ受信部１２１は、アンテナＡＴを介して各放送局から送信された放送波、例えば、ＶＨＦ又はＢＳなどのＲＦ信号を受信し、使用者の選択した受信帯域に同調して受信した信号波をＩＦ（中間周波数）信号に変換すると共に、ＴＶ映像信号及び音声信号に復調して第１入力切替部１２２に出力する。
【００２５】
そして、第１入力切替部１２２には、ＴＶ受信部１２１から出力されたＴＶ用映像信号と映像入力端子を介して外部から入力されたアナログの映像信号とが入力され、この第１入力切替部１２２は、システム制御系１６０の制御に基づいて、これらの入力されたＴＶ用映像信号を選択的に切り替えて、映像信号を第１Ａ／Ｄコンバータ１２４に出力する。
【００２６】
一方、第２入力切替部１２３には、ＴＶ受信部１２１から出力された音声信号と音声入力端子を介して外部から入力されたアナログの音声信号とが入力され、この第２入力切替部１２３は、システム制御系１６０の制御に基づいて、これらの入力された各音声信号を選択的に切り替えて第２Ａ／Ｄコンバータ１２５に出力する。
【００２７】
そして、第１Ａ／Ｄコンバータ１２４には、第１入力切替部１２２によって選択されたアナログ信号であるＴＶ用映像信号が入力され、この第１Ａ／Ｄコンバータ１２４は、入力されたアナログ信号であるＴＶ用映像信号をデジタル信号に変換して映像信号デコーダ１２６に出力する。
【００２８】
その後、映像信号デコーダ１２６には、デジタル信号に変換されたＴＶ用映像信号が入力され、この映像信号デコーダ１２６は、入力されたＴＶ用映像信号を復号化し、通常の映像信号、例えば、ＮＴＳＣ方式の映像信号に変換する。また、この映像信号デコーダ１２６は、変換した映像信号を選択部１２７に出力する。
【００２９】
一方、第２Ａ／Ｄコンバータ１２５には、第２入力切替部１２３によって選択されたアナログ信号である音声信号が入力され、第２Ａ／Ｄコンバータ１２５は、入力されたアナログ信号である音声信号をデジタル信号に変換して選択部１２７に出力する。
【００３０】
そして、選択部１２７は、映像信号デコーダ１２６及び第２Ａ／Ｄコンバータ１２５から出力された映像信号及び音声信号と、例えばＨＤＤ２００からＤＶＤ３００へのいわゆるダビング処理を行う際にＨＤドライブ２０１又はＤＶＤドライブ２０３から出力され、デコードされた映像信号及び音声信号と、が入力される。この選択部１２７は、システム制御系１６０の制御に基づいて、入力された映像信号及び音声信号の何れかを選択し、選択した映像信号を映像エンコーダ１２８に、選択した音声信号を音声エンコーダ１２９に出力する。
【００３１】
これにより、映像エンコーダ１２８には、選択部１２７によって選択された映像信号が入力され、この映像エンコーダ１２８は、入力された映像信号をＭＰＥＧフォーマットの映像データに変換し、当該変換した映像データをマルチプレクサ１３０に出力する。
【００３２】
一方、音声エンコーダ１２９には、選択部１２７によって選択された音声信号が入力され、この音声エンコーダ１２９は、入力された音声信号をＡＣ−３フォーマットの音声データに変換し、変換した音声データをマルチプレクサ１３０に出力する。
【００３３】
そして、マルチプレクサ１３０には、ＭＰＥＧフォーマットに変換された映像データとＡＣ−３フォーマットに変換された音声データとが入力され、このマルチプレクサ１３０は、入力された映像データ及び音声データに基づいて、プログラムストリームを生成すると共に、当該生成されたプログラムストリームを第１ドライブ切替部２０４及び第２ドライブ切替部２０６に出力する。
【００３４】
次に、実施形態のレコーダ１００におけるデータ再生系１４０の具体的構成及び動作について説明する。
【００３５】
実施形態のレコーダ１００におけるデータ再生系１４０は、ＨＤ２００からの再生出力又はＤＶＤ２０２からの再生出力のいずれかを選択する再生切替部１４１と、各ＨＤドライブ２０１又はＤＶＤドライブ２０３から出力された音声データ及び映像データをプログラムストリームから抽出するデマルチプレクサ１４２と、このデマルチプレクサ１４２によって分離された映像信号及び音声信号をデコードする映像デコーダ１４３及び音声デコーダ１４４と、映像デコーダ１４３及び音声デコーダ１４４から出力された映像信号及び音声信号とＴＶ受信部１２１から出力された映像信号及び音声信号とを切り替える出力切替部１４５と、後述するモニタに出力される上記サムネイル画像を生成するＯＳＤ（On Screen Display）１４６と、ＴＶ信号に変換する映像信号エンコーダ１４７と、デジタル信号である映像信号をアナログ信号に変換する第２デジタル／アナログ（以下、「Ｄ／Ａ」と称する）コンバータ１４９と、デジタル信号である音声信号をアナログ信号に変換する第１Ｄ／Ａコンバータ１４８と、から構成され、アナログ信号に変換された映像信号及び音声信号は、映像出力端子及び音声出力端子を介して外部出力される。
【００３６】
このとき、再生切替部１４１には、ＨＤ用ドライブインターフェース２０５を介してＨＤドライブ２０１から出力されたプログラムストリームと、ＤＶＤ用ドライブインターフェース２０７を介してＤＶＤドライブ２０３から出力されたプログラムストリームと、が入力され、この再生切替部１４１は、システム制御部１６６の制御に基づいて、何れか一方のドライブから出力されたプログラムストリームを選択し、当該選択したプログラムストリームをデマルチプレクサ１４２に出力する。
【００３７】
そして、デマルチプレクサ１４２には、再生切替部１４１によって選択されたプログラムストリームが入力され、このデマルチプレクサ１４２は、この入力されたプログラムストリームから映像データ及び音声データを分離し、分離した映像データ及び音声データを、夫々、映像デコーダ１４３又は音声デコーダ１４４に出力する。
【００３８】
特に、このデマルチプレクサ１４２は、プログラムストリームからＭＰＥＧ形式を有する映像データ及びＡＣ−３形式を有する音声データを分離する。
【００３９】
そして、映像デコーダ１４３には、プログラムストリームから分離されたＭＰＥＧ形式を有する映像データが入力され、この映像デコーダ１４３は、入力されたＭＰＥＧ形式の映像データを復号化して映像信号に変換し、当該復号化されたデジタル信号である映像信号を出力切替部１４５に出力する。
【００４０】
一方、音声デコーダ１４４には、プログラムストリームから分離されたＡＣ−３形式を有する音声データが入力され、この音声デコーダ１４４は、入力されたＡＣ−３形式を有する音声データを復号化して音声信号に変換し、当該復号されたデジタル信号である音声信号を出力切替部１４５に出力する。
【００４１】
そして、出力切替部１４５には、データ記録系１２０から出力されたデジタル信号である映像信号及び音声信号と、映像デコーダ１４３及び音声デコーダ１４４によって復号化された映像信号及び音声信号と、が入力され、この出力切替部１４５は、システム制御部１６６の制御に基づいて、データ記録系１２０から出力された映像信号及び音声信号と、復号化された映像信号及び音声信号と、を切り替えて、映像信号をＯＳＤ１４６に、音声信号を第１Ｄ／Ａコンバータ１４８に、夫々出力する。
【００４２】
なお、実施形態では、出力切替部１４５には、映像信号デコーダ１２６から出力された映像信号及び第２Ａ／Ｄコンバータ１２５から出力された音声信号が入力される。
【００４３】
そして、ＯＳＤ１４６には、出力切替部１４５によって切り替えられた映像信号が入力され、このＯＳＤ１４６は、入力された映像信号に対して必要な文字情報等を重畳し、当該文字情報を重畳した映像信号を映像信号エンコーダ１４７に出力する。
【００４４】
また、本実施形態において、ＯＳＤ１４６は、上記再生処理を行う際等に、システム制御系１６０の指示に基づいて、再生対象となる各タイトルの内容を代表するサムネイル静止画像情報を生成し、当該生成したサムネイル静止画像情報を映像信号エンコーダ１４７に出力する。このとき、当該サムネイル静止画像情報は、使用者が各タイトル毎に予め指定した、又はシステム制御系１６０が自動的に各タイトル毎に指定した、或いはＨＤ２００又はＤＶＤ２０２に各タイトル毎に予め指定されているサムネイル画像（当該各タイトルに含まれる動画像等を構成する一の静止画像である）を表示するための静止画像情報である。そして、各タイトル毎の当該サムネイル静止画像情報に対応する静止画像情報の、そのタイトル内の記録位置（ＨＤ２００又はＤＶＤ２０２上の記録アドレス）を示すアドレス情報が当該指定されたサムネイル画像毎にＨＤ２００又はＤＶＤ２０２上に予め記録されており、ＯＳＤ１４６はサムネイル画像を表示する際にそのアドレス情報を手掛かりとしてＨＤ２００又はＤＶＤ２０２上からサムネイル静止画像情報となるべき静止画像情報を検出するのである。
【００４５】
更に、実施形態のＯＳＤ１４６は、表示されているサムネイル画像が選択されると、そのサムネイル画像が表示されていた領域内に、そのサムネイル画像が代表するタイトルを実際の動画像として表示する。この場合、当該表示のための画像情報はＨＤ２００又はＤＶＤ２０２からその都度読み出される。
【００４６】
一方、映像信号エンコーダ１４７には、当該サムネイル静止画像情報に対応する映像信号を外部のモニタなどに表示させるため、ＴＶ用の映像フォーマットに変換し、当該ＴＶ用のフォーマットに変換した映像信号を第２Ｄ／Ａコンバータ１４９に出力する。
【００４７】
そして、第２Ｄ／Ａコンバータ１４９には、ＴＶ用のフォーマットに変換され、デジタル信号である映像信号が入力され、この第２Ｄ／Ａコンバータ１４９は、この入力されたデジタル信号である映像信号をアナログ信号に変換し、当該アナログ信号に変換した映像信号を、映像出力端子を介して外部に出力する。
【００４８】
また、第１Ｄ／Ａコンバータ１４８には、出力切替部１４５によって切り替えられたデジタル信号である音声信号が入力され、この第１Ｄ／Ａコンバータ１４８は、入力されたデジタル信号である音声信号をアナログ信号に変換し、当該アナログ信号に変換した音声信号を、音声出力端子を介して外部に出力する。
【００４９】
次に、図１を用いて実施形態のレコーダ１００におけるシステム制御系１６０の具体的構成及び動作について説明する。
【００５０】
実施形態のレコーダ１００におけるシステム制御系１６０は、当該レコーダ１００を遠隔操作するリモコン装置１６１から出射された光ビームを受光するリモコン受光部１６２と、使用者が操作設定を行う選択手段としての操作部１６３と、リモコン装置１６１又は操作部１６３による操作の確認等の使用者が所望する情報を表示する表示部１６４と、上記ダビング等を行う際にリモコン装置１６１又は操作部１６３に入力されたキー入力の情報（以下、「キー入力情報」と称する）に基づいてダビングに必要な情報（以下、「ダビング情報」と称する）を設定すると共に、図示しないモニタに表示させるためＯＳＤ１４６を制御してダビング情報の映像情報を生成させる第１表示制御手段、第２表示制御手段及び代表画像表示制御手段としてのシステム制御部１６６と、各種動作に必要となるプログラムなどを記録するメモリ１６５と、システム全体を制御するシステム制御部１６６と、により構成されている。
【００５１】
ここで、リモコン装置１６１は、各種確認ボタン及び数字キー等の多数のキーと、例えばリモコン装置１６１の中央に設けられた上下及び左右のカーソルキーと、から構成されている。
【００５２】
次に、リモコン受光部１６２は、リモコン装置１６１から出射された赤外線光等の光ビームを受光し、当該受光した光ビームを所定の信号に変換して操作部１６３に出力する。
【００５３】
一方、操作部１６３は、リモコン装置１６１と同様に各種確認ボタン及び数字キー等の多数のキーと、上下キー及び左右キーと、から構成される。
【００５４】
また、この操作部１６３は、キー操作に従って、又は、リモコン受光部１６２から出力された所定の信号をシステム制御部１６６に出力する。
【００５５】
他方、表示部１６４は、液晶などの複数の発光素子を備える発光部を有し、リモコン装置１６１又は操作部１６３による操作の確認等の使用者が所望する情報を表示する。
【００５６】
次に、番組情報設定部３００は、ＨＤ２００又はＤＶＤ２０２に予め設定した時間に放送番組を自動的に記録すると共に、ＨＤ２００に記録されている情報をＤＶＤ２０２にダビングするための設定を行う際に、リモコン装置１６１又は操作部１６３に入力されたキー入力情報に基づいてダビングに必要なダビング情報を設定する。
【００５７】
次に、システム制御部１６６は、主に中央演算処理装置（ＣＰＵ）によって構成されると共に、キー入力ポート、表示部１６４への出力ポート等の各種入出力ポートを含み、ＨＤ２００の再生及び記録、又はＤＶＤ２０２の再生及び記録の各処理のための全般的な機能を総括的に制御する。
【００５８】
特に、実施形態のシステム制御部１６６は、リモコン装置１６１又は操作部１６３における操作キーの入力に基づいて、上記ＯＳＤ１４６によって生成されたサムネイル画像に対応する映像情報を、映像信号エンコーダ１４７及び第２Ｄ／Ａコンバータ１４９を介して外部に出力させる。
【００５９】
（II）サムネイル画像表示処理の実施形態
次に、実施形態に係るサムネイル画像を複数含むサムネイル選択画面表示処理を伴うタイトルの再生処理について、具体的に図２及び図３を用いて説明する。なお、図２は実施形態に係るタイトルの再生処理を示すフローチャートであり、図３は当該サムネイル選択画面表示処理として表示されるサムネイル選択画面を例示する図である。
【００６０】
図２に示すように、実施形態の再生処理が開始されると、先ず、当該再生処理の対象となるタイトルを選択するためのサムネイル選択画面をＯＳＤ１４６の上述した機能により生成し、図示しないディスプレイ等に表示する（ステップＳ１；サムネイルページ表示）。
【００６１】
ここで、当該ステップＳ１において表示されるサムネイル選択画面について、具体的に図３（ａ）を用いて例示しつつ説明する。
【００６２】
実施形態に係るサムネイル選択画面Ｇ（以下、一のサムネイル選択画面Ｇを適宜「ページ」と称する）は、図３（ａ）に示すように、再生対象となっている、すなわち、ＨＤ２００又はＤＶＤ２０２に蓄積記録されている各タイトルに対応するサムネイル画像ＳＮ１乃至ＳＮ６と、いずれかのサムネイル画像ＳＮ１乃至ＳＮ６が選択されたとき、その選択を確定させて実際のタイトルの再生に移行する際に操作される確定キーＢと、一のサムネイル選択画面Ｇから他のサムネイル選択画面Ｇ（言うまでもなく、図３（ａ）に示すサムネイル選択画面Ｇとは異なるタイトルに対応するサムネイル画像が含まれている）に表示を移行させる際に操作されるページ移動キーＭと、を少なくとも含んでいる。
【００６３】
このとき、各サムネイル画像ＳＮ１乃至ＳＮ６は、夫々が代表するタイトルの一部を構成する静止画像である。そして、いずれかのサムネイル画像ＳＮが選択されると、後述するように、その選択されたサムネイル画像ＳＮが表示されていた領域内に、そのサムネイル画像ＳＮにより代表されるタイトルが実際に動画像として表示されることとなる。
【００６４】
サムネイル選択画面Ｇが表示されると、次に、図３（ｂ）に示すようにそのサムネイル選択画面Ｇにおける最も左上に位置しているサムネイル画像ＳＮ１が自動的に選択される（ステップＳ１；サムネイルの初期選択）。このときには、当該選択されている旨を示すカーソルＣによりそのサムネイル画像ＳＮ１が表示されていた領域が囲まれる（ステップＳ１；カーソルを表示）。
【００６５】
次に、サムネイル画像ＳＮ１が選択された状態で予め設定された時間（例えば１秒）が経過したか否かが判定され（ステップＳ２）、当該時間が経過したときは（ステップＳ２；ＹＥＳ）、当該選択されているサムネイル画像ＳＮ１が表示されていた位置に当該サムネイル画像ＳＮ１に代表されるタイトルとしての動画像ＳＮ１Ｍが表示される（ステップＳ６）。このとき、他のサムネイル画像ＳＮ２乃至ＳＮ６はもとのサムネイル選択画面Ｇのままである。
【００６６】
一方、ステップＳ２の判定において、当該時間が経過していないときは（ステップＳ２；ＮＯ）、次に、カーソルＣを移動する旨の操作が、リモコン１６１又は操作部１６３において実行されたか否かが判定される（ステップＳ３）。そして、カーソルＣを移動させる旨の操作が為されたときは（ステップＳ３；ＹＥＳ）、その操作に則ってカーソルＣを他のサムネイル画像ＳＮ２乃至ＳＮ６の位置に移動させ（ステップＳ７）、再び上記ステップＳ２に戻って上記した動作を繰り返す。
【００６７】
他方、ステップＳ３の判定において、カーソルＣを移動させる旨の操作が為されないときは（ステップＳ３；ＮＯ）、次に、他のページ（他のサムネイル選択画面Ｇ）に移動する旨の操作が、リモコン１６１又は操作部１６３を用いてページ移動キーＭを操作することにより実行されたか否かが判定される（ステップＳ４）。そして、他のページに移動する旨の操作が為されたときは（ステップＳ４；ＹＥＳ）、その操作に則って次のサムネイル選択画面Ｇを表示し（ステップＳ８）、再び上記ステップＳ２に戻って上記した動作を繰り返す。
【００６８】
一方、ステップＳ４の判定において、他のページに移動する旨の操作が為されないときは（ステップＳ４；ＮＯ）、次に、サムネイル選択画面Ｇでカーソル選択を終了する旨の操作が、リモコン１６１又は操作部１６３において実行されたか否かが判定される（ステップＳ５）。そして、サムネイル選択画面Ｇでカーソル選択を終了する旨の操作が為されたときは（ステップＳ５；ＹＥＳ）、現在表示されているカーソルＣの表示を終了して他の処理に移行する。また、ステップＳ５の判定において、サムネイル選択画面Ｇでカーソル選択を終了する旨の操作が為されないときは（ステップＳ５；ＮＯ）、再び上記ステップＳ２に戻って上記した動作を繰り返す。
【００６９】
次に、例えば元のサムネイル画像ＳＮ１に対応するものとして動画像ＳＮ１Ｍが表示されているときに（ステップＳ６）、その領域においてサムネイル画像ＳＮ１に対応するタイトルの最後まで再生が終了してしまったか否かが確認される（ステップＳ１０）。そして、その最後まで再生が完了していないときには（ステップＳ１０；ＮＯ）、次に、動画像ＳＮ１Ｍが表示されているサムネイル画像ＳＮ１の位置からカーソルＣを移動する旨の操作が、リモコン１６１又は操作部１６３を用いてページ移動キーＭを操作することにより実行されたか否かが判定される（ステップＳ１１）。そして、カーソルＣを移動させる旨の操作が為されたときは（ステップＳ１１；ＹＥＳ）、動画像ＳＮ１Ｍを消去し、更にその位置に再度元のサムネイル画像ＳＮ１を表示し（ステップＳ１５）、更にステップＳ１１における操作に則ってカーソルＣを他のサムネイル画像ＳＮ２乃至ＳＮ６の位置に移動させ（ステップＳ１７）、再び上記ステップＳ２に戻って上記した動作を繰り返す。
【００７０】
このとき、上記ステップＳ２に戻った後は、上述したステップＳ１乃至Ｓ８の処理が実行されることとなり、この結果、図３（ｃ）に示すように、動画像ＳＮ１Ｍが表示されていた位置には元のサムネイル画像ＳＮ１が表示され、元のサムネイル画像ＳＮ２が表示されていた位置に当該サムネイル画像ＳＮ２に代表されるタイトルとしての動画像ＳＮ２Ｍが表示されることになる（ステップＳ６）。
【００７１】
他方、ステップＳ１１の判定において、カーソルＣを移動させる旨の操作が為されないときは（ステップＳ１１；ＮＯ）、次に、他のページに移動する旨の操作が、リモコン１６１又は操作部１６３において実行されたか否かが判定される（ステップＳ１２）。そして、他のページに移動する旨の操作が為されたときは（ステップＳ１２；ＹＥＳ）、その操作に則って次のサムネイル選択画面Ｇを表示し（ステップＳ１６）、再び上記ステップＳ２に戻って上気した動作を繰り返す。
【００７２】
一方、ステップＳ１２の判定において、他のページに移動する旨の操作が為されないときは（ステップＳ１２；ＮＯ）、次に、サムネイル選択画面Ｇでカーソル選択を終了する旨の操作が、リモコン１６１又は操作部１６３において実行されたか否かが判定される（ステップＳ１３）。そして、サムネイル選択画面Ｇでカーソル選択を終了する旨の操作が為されたときは（ステップＳ１３；ＹＥＳ）、動画像ＳＮ１Ｍを消去し、更にその位置に再度元のサムネイル画像ＳＮ１を表示し（ステップＳ２３）、現在表示されているカーソルＣの表示を終了して他の処理に移行する。また、ステップＳ１３の判定において、サムネイル選択画面Ｇでカーソル選択を終了する旨の操作が為されないときは（ステップＳ１３；ＮＯ）、再び上記ステップＳ１０に戻って上記したステップＳ１０以降の動作を繰り返す。
【００７３】
他方、上記ステップＳ１０の判定において、例えばサムネイル画像ＳＮ１に対応するタイトル（動画像ＳＮ１Ｍ）の最後まで再生が完了しているときには（ステップＳ１０；ＹＥＳ）、次に、動画像ＳＮ１Ｍが表示されていた位置に元のサムネイル画像ＳＮ１を表示し（ステップＳ１４）、更に、その動画像ＳＮ１Ｍが表示されていた位置からカーソルＣを移動する旨の操作が、リモコン１６１又は操作部１６３において実行されたか否かが判定される（ステップＳ１８）。そして、カーソルＣを移動させる旨の操作が為されたときは（ステップＳ１８；ＹＥＳ）、その操作に則ってカーソルＣを他のサムネイル画像ＳＮ２乃至ＳＮ６の位置に移動させ（ステップＳ２１）、再び上記ステップＳ２に戻って上記した動作を繰り返す。
【００７４】
他方、ステップＳ１８の判定において、カーソルＣを移動させる旨の操作が為されないときは（ステップＳ１８；ＮＯ）、次に、他のページに移動する旨の操作が、リモコン１６１又は操作部１６３を用いてページ移動キーＭを操作することにより実行されたか否かが判定される（ステップＳ１９）。そして、他のページに移動する旨の操作が為されたときは（ステップＳ１９；ＹＥＳ）、その操作に則って次のサムネイル選択画面Ｇを表示し（ステップＳ２２）、再び上記ステップＳ２に戻って上記した動作を繰り返す。
【００７５】
一方、ステップＳ１９の判定において、他のページに移動する旨の操作が為されないときは（ステップＳ１９；ＮＯ）、次に、サムネイル選択画面Ｇでカーソル選択を終了する旨の操作が、リモコン１６１又は操作部１６３において実行されたか否かが判定される（ステップＳ２０）。そして、サムネイル選択画面Ｇでカーソル選択を終了する旨の操作が為されたときは（ステップＳ２０；ＹＥＳ）、現在表示されているサムネイル選択画面Ｇのカーソル表示を終了して他の処理に移行する。また、ステップＳ２１の判定において、サムネイル選択画面Ｇでカーソル選択を終了する旨の操作が為されないときは（ステップＳ２０；ＮＯ）、再び上記ステップＳ１８に戻って上記した動作を繰り返す。
【００７６】
そして、上述してきたタイトルの選択処理において、いずれかのサムネイル画像ＳＮの位置にカーソルＣがあるときに確定キーＢがリモコン１６１又は操作部１６３を用いて操作されると、そのときにカーソルＣにより選択されていたサムネイル画像ＳＮにより代表されるタイトルをＨＤ２００又はＤＶＤ２０２から検出して再生・表示することとなる。
【００７７】
以上説明したように、実施形態のレコーダ１００におけるサムネイル選択画面Ｇを用いたタイトルの選択処理によれば、一の動画像ＳＮ１Ｍの再生・表示中において他のタイトルの再生が選択されたとき、或いはタイトル選択する階層をはずれたとき（つまり、現在表示されているタイトルの選択が解除されることとなったとき）、表示されている一の動画像ＳＮ１Ｍに代えて元のサムネイル画像ＳＮ１を再びサムネイル選択画面Ｇ内に表示させるので、元のサムネイル画像ＳＮ１２より代表されるタイトルを再度選択する際にもそのタイトルの内容を容易且つ迅速に認識することができる。
【００７８】
また、一覧表示されている複数のサムネイル画像ＳＮのうちいずれかのサムネイル画像ＳＮが選択されて対応する動画像ＳＮ１Ｍが再生されているとき、他のタイトルの内容を対応するサムネイル画像ＳＮを用いて容易且つ迅速に認識することができる。
【００７９】
更に、タイトル自体が動画像であってサムネイル画像ＳＮが静止画像であるので、サムネイル画像ＳＮと、再生すべきものとして選択されたタイトルに対応する動画像と、を判りやすく区分して表示しつつ且つサムネイル画像ＳＮにより各タイトルの内容を判りやすく表示することができる。
【００８０】
更にまた、サムネイル画像ＳＮが各タイトルとしての動画像を構成する静止画像であるので、各タイトルの内容をより判りやすく表示することができる。
【００８１】
なお、上述した実施形態においては、サムネイル画像ＳＮを表示する際に、そのサムネイル画像ＳＮとなるべき静止画像が記録されているＨＤ２００又はＤＶＤ２０２上の記録位置を示す情報に基づいてその静止画像を検出してサムネイル選択画面Ｇを構成・表示していたが、これ以外に、サムネイル選択画面Ｇが一度表示された時点でそれに含まれるべき当該静止画像自体をＨＤ２００又はＤＶＤ２０２から全て検出しておき、これを例えばメモリ１６５等に一時的に記憶しておけば、同じサムネイル画像ＳＮを表示することとなった場合により迅速にそのサムネイル画像ＳＮを含むサムネイル選択画面Ｇを表示することができる。
【００８２】
更に、図２に示すフローチャートに対応するプログラムを、フレキシブルディスク等の情報記録媒体に記録しておき、或いは当該プログラムをインターネット等のネットワークを介して取得して記録しておき、これらを汎用のマイクロコンピュータ等を用いて読み出して実行することにより、当該汎用のマイクロコンピュータを実施形態に係るシステム制御部１６６として用いることも可能である。
【図面の簡単な説明】
【００８３】
【図１】実施形態に係るレコーダの概要構成を示すブロック図である。
【図２】実施形態に係る選択処理を示すフローチャートである。
【図３】実施形態に係る選択処理に供されるサムネイル選択画面を例示する図である。
【符号の説明】
【００８４】
１００    レコーダ
１６６    システム制御部
２００    ＨＤ
２０２    ＤＶＤ
ＳＮ１、ＳＮ２、ＳＮ３、ＳＮ４、ＳＮ５、ＳＮ６    サムネイル画像
ＳＮ１Ｍ、ＳＮ２Ｍ    動画像
Ｇ    サムネイル選択画面
【図１】
2005184071.tif 000003
【図２】
2005184071.tif 000004
【図３】
2005184071.tif 000005